(57)【特許請求の範囲】
【請求項１】
座と、前記座の一端部側を正逆方向に回転可能に支持する第一の脚フレームと、前記第一の脚フレームに対して正逆方向に回転可能に連結してなるとともに前記座の他端部側を正逆方向に回転可能に支持する第二の脚フレームとを具備してなり、前記第一の脚フレーム・第二の脚フレーム・座の相対回転によって使用状態から前記第一、第二の脚フレームが略面一をなす折り畳み状態に折り畳めるように構成されている椅子であって、
前記第一の脚フレーム間に背板を架け設けられるとともに厚みが前記第一の脚フレームの厚みの範囲内に収まるように位置付けられた背板を有するものであり、
当該背板が、厚み方向に変形し難く背板自体の形状を保持し得る保形領域と、厚み方向に変形し易い変形領域とを有するものであり、
前記保形領域を前記背板の上側に位置付けるとともに前記変形領域を前記背板の下側に位置付けているものであり、
前記変形領域の幅寸法が、下側ほど大きくなるよう設定されていることを特徴とする椅子。
【請求項２】
前記変形領域の少なくとも一部が前記第一の脚フレームの厚みよりも外側へ変形し得る請求項１記載の椅子。
【請求項３】
前記保形領域を構成する素材と前記変形領域を構成する素材を異ならせている請求項１又は２記載の椅子。
【請求項４】
前記背板が一体に成形されたものであり、前記変形領域が変形を助長し得る変形助長部を有している請求項１又は２記載の椅子。
【請求項５】
前記背板の上方に把手が設けられたものであるとともに前記背板が概略平板状をなすものであり、当該背板の下端から上端を経てさらに上方へ向かう仮想の直線が前記把手の前面よりも前方を通過するように前記背板が位置付けられている１、２、３又は４記載の椅子。
【発明の詳細な説明】
【技術分野】
【０００１】
本発明は、会議場等に用いられる折り畳み可能な椅子に関するものである。
【背景技術】
【０００２】
従来、会議場等に用いられる折り畳み可能な椅子としては、座と、前記座の前端部側を回転可能に支持する前脚フレームと、この前脚フレームに対して回転可能に連結してなるとともに座の後端部側を回転可能に支持する後脚フレームとを具備してなり、前記前脚フレーム・後脚フレーム・座の相対回転によって使用状態から前記前脚フレームと後脚フレームとが略面一をなす折り畳み状態に折り畳めるように構成されている (例えば、特許文献１参照)。
【０００３】
この種の椅子においては、折り畳み状態で複数の同じ構造をなす折り畳み椅子を縦又は横方向に重ねて収納する際にコンパクトとなるよう、座や背板が略面一をなす前脚フレーム及び後脚フレームの厚みの範囲内に収まるようにすることが考えられる。
【０００４】
しかしながら特に背板においてそのような構成とする場合、使用状態で使用者が背板に凭れた際に、使用者の上体に必ずしも背板の形状が沿った配置になるとは限らず、快適な座り心地を得られないといった不具合が起こり得る。
【先行技術文献】
【特許文献】
【０００５】
【特許文献１】特開２００２―１７７０８８号公報
【発明の概要】
【発明が解決しようとする課題】
【０００６】
本発明は、上記の様な点に着目したものであり、コンパクトな折り畳み状態と座り心地の良い使用状態とを両立し得る椅子を提供することを目的としている。
【課題を解決するための手段】
【０００７】
本発明は、このような目的を達成するために、次のような手段を講じたものである。
【０００８】
すなわち本発明に係る椅子は、座と、前記座の一端部側を正逆方向に回転可能に支持する第一の脚フレームと、前記第一の脚フレームに対して正逆方向に回転可能に連結してなるとともに前記座の他端部側を正逆方向に回転可能に支持する第二の脚フレームとを具備してなり、前記第一の脚フレーム・第二の脚フレーム・座の相対回転によって使用状態から前記第一、第二の脚フレームが略面一をなす折り畳み状態に折り畳めるように構成されている椅子であって、前記第一の脚フレーム間に背板を架け設けられるとともに厚みが前記第一の脚フレームの厚みの範囲内に収まるように位置付けられた背板を有するものであり、当該背板が、厚み方向に変形し難く背板自体の形状を保持し得る保形領域と、厚み方向に変形し易い変形領域とを有することを特徴とする。
【０００９】
このようなものであれば、第一の脚フレームの厚みの範囲内に位置付けられた背板が使用者の状態への荷重に応じて適宜変形し得るため、使用者に快適な座り心地を提供し得る。また勿論背板は第一の脚フレームの厚みの範囲内に位置付けられているため、コンパクトな折り畳み状態にも寄与し得る。すなわち、コンパクトな折り畳み状態と座り心地の良い使用状態とを両立し得る椅子が実現される。
【００１０】
背板を使用者の上体に沿ってより変形し易くするためには、変形領域の少なくとも一部が第一の脚フレームの厚みよりも外側へ変形し得るようにすることが望ましい。
【００１１】
背板が着座者の上体を確実に支持しつつ且つ上体に沿って変形し好適な座り心地を担保するための構成として、保形領域を構成する素材と変形領域を構成する素材を異ならせる態様を挙げることができる。
【００１２】
他方、簡素な構成で変形領域を形成するためには、背板を一体に成形されたものとし、変形領域が変形を助長し得る変形助長部を有するようにすることが好ましい。
【００１３】
着座者の上体をより好適に支持するために、保形領域を背板の上側に位置付けるとともに変形領域を背板の下側に位置付けている。そして変形領域がより使用者の上体に沿って変形し得る構成として、変形領域の幅寸法が、下側ほど大きくなるよう設定されている。
【００１４】
使用者の座り心地を担保するとともに折り畳み状態での取り扱いをより行い易くする構成として、背板の上方に把手が設けられたものであるとともに背板が概略平板状をなすものであり、当該背板の下端から上端を経てさらに上方へ向かう仮想の直線が把手の前面よりも前方を通過するように背板が位置付けられている構成を挙げることができる。これにより、把手が使用状態で着座した使用者の上体に干渉することを有効に回避し得る。
【発明の効果】
【００１５】
本発明によれば、コンパクトな折り畳み状態と座り心地の良い使用状態とを両立し得る椅子を提供することができる。
【図面の簡単な説明】
【００１６】
【図１】本発明の一実施形態に係る椅子の外観図。
【図２】同実施形態に係る側面図。
【図３】同他の側面図。
【図４】図２に係る作用説明図。
【図５】同実施形態に係る要部を示す外観図。
【図６】図４に係る中央側断面図。
【図７】図５に係る作用説明図。
【図８】本実施形態に係る他の作用説明図。
【図９】同実施形態の変形例に係る構成説明図。
【図１０】同上。
【図１１】同上。
【発明を実施するための形態】
【００１７】
以下、本発明の一実施の形態について図面を参照して説明する。
【００１８】
本実施形態に係る椅子１は、図１に示すように、座４の前両側を軸を介して正逆方向に回転可能に支持する第１の脚フレームたる前脚フレーム２と、前脚フレーム２の外側に回転支持体３２を介して回転可能に取付けてなるとともに座４の後ろ両側を軸を介して正逆方向に回転可能に支持する第２の脚フレームたる後脚フレーム３とを具備してなるもの、すなわち、前脚フレーム２・後脚フレーム３・座４とをそれぞれ正逆方向に回転可能に連結したもので、図１、２に示す使用状態（Ｐ）から、本実施形態では前脚フレーム２と後脚フレーム３とが側面視重層する位置で前脚フレーム２と後脚フレーム３とが略面一をなす図３に示す折り畳み状態（Ｑ）に折り畳めるよう構成したものである。本実施形態に係る椅子１は、座４及び背板５が折り畳み状態（Ｑ）で前脚フレーム２並びに後脚フレームの厚みの範囲内で位置付けられている。そのため図３に示すようにこの椅子１は、折り畳み状態（Ｑ）では、他の同一形状の折り畳み椅子１とともに、後脚フレームを下として壁等に複数重ねて立てかけておいた状態であっても、厚み方向に重なる複数の椅子１のうち任意の椅子１を側方から抜き出すことができる。
【００１９】
ここで、本実施形態に係る椅子１は、座４と、座４の一端部側を正逆方向に回転可能に支持する前脚フレーム２と、前脚フレーム２に対して正逆方向に回転可能に連結してなるとともに座４の他端部側を正逆方向に回転可能に支持する後脚フレーム３とを具備してなり、前脚フレーム２・後脚フレーム３・座４の相対回転によって使用状態（Ｐ）から両脚フレーム２、３が略面一をなす折り畳み状態（Ｑ）に折り畳めるように構成されている椅子１であって、前脚フレーム２間に背板５を架け設けられるとともに当該背板５の厚みが前脚フレーム２の厚みの範囲内に収まるように位置付けられたものであり、当該背板５が、厚み方向に変形し難い保形領域５１と、厚み方向に変形し易い変形領域５２とを有することを特徴とする。
【００２０】
以下、椅子１の各部の構成について説明する。
【００２１】
前脚フレーム２は、スチール丸パイプ製の略Ｕ字形状のものであるフレーム本体２１と、このフレーム本体２１の上方から例えばフレーム本体２１のパイプ内部に差し込むように取付けられた例えば樹脂製の上部フレーム２２と、この上部フレーム２２の上端に形成された把手２３とを有している。上部フレーム２２には、把手２３よりも若干の離間寸法を介して背板５を設けている。そして背板５、把手２３間には開口形状をなす把持領域Ｓを形成している。
【００２２】
後脚フレーム３は、スチール丸パイプ製の略Ｕ字形状のフレーム本体３１と、このフレーム本体３１の上端に取付けられ前脚フレーム２に対し回転可能に支持される回転支持体３２と、フレーム本体の下端部において例えば２箇所に取付けられた設置部材３３とを有するものである。当該後脚フレーム３は具体的には、前脚フレーム２の外側に回転支持体３２を介して前脚フレーム２に対して相対的に回転可能となるように連結している。そして本実施形態では、回転支持体３２が、フレーム本体３１と前脚フレーム２との相対距離を変更させ得るスライダ３４を有している。これにより、使用状態（Ｐ）と折り畳み状態（Ｑ）との間で座４、前後脚フレーム２、３を回転させる場合に生じる後脚フレーム３と座４の回転中心と前脚フレーム２と後脚フレーム３の回転中心との間の離間距離の変位を吸収するようにしている。
【００２３】
座４は、上述の通り、前脚フレーム２、後脚フレーム３それぞれに対し回転可能に取付けられるとともに、これら両フレーム２、３よりも厚み寸法を小さく設定することにより、折り畳み状態（Ｑ）において両フレーム２、３の厚みの範囲内に収容され得るものである。この座４は、着座者の荷重を受ける座本体４１と、前脚フレーム２に対し正逆方向に回転可能に接続する前枢着部４２と、後脚フレーム３に対し正逆方向に回転可能に接続する後枢着部４３とを有する。座本体４１は、例えば中央に開口を有してなる平面視略ロ字形状の座受部の開口内に張った状態で取付けてなるネット状の張地とを具備してなるものや樹脂の一体成形をなすものなど、既存の種々の構成を適用し得る。
【００２４】
しかして本実施形態に係る椅子１は、上述の通り、前脚フレーム２に架け設けられた背板５が、厚み方向に変形し難い保形領域５１と、厚み方向に変形し易い変形領域５２とを有することを特徴とする。
【００２５】
背板５は、図１及び図５〜図７に示すように、本実施形態では上部フレーム２２に対しその厚みが均一なように一体的に成形された後方へ膨出するよういわゆるアールを設けた湾曲形状をなすものである。当該背板５は、前脚フレーム２の前端面２ａよりも後ろ側、且つ、後端面２ｂよりも前側に収まるように位置付けられている。すなわち背板５は前脚フレーム２の厚みの範囲に位置付けられている。具体的に説明すると背板５は、上端５ｃの前面５ａは左右の前脚フレーム２の前端面２ａ近傍で直線状に架設される一方、下方に至るにつれ徐々に中央５ｅが大きく後方へ位置付けられるよう湾曲している。そして背板５の下端５ｄの両側は前脚フレーム２の厚み方向略中央部分に接続し、当該下端５ｄにおける中央５ｅの後面５ｂでは湾曲度合が最も大きく側面視で前脚フレーム２の後端面２ｂ近傍に位置付けられている。そしてこの背板５は、上端及び上部フレーム２２に連続する両側端、すなわち上側に位置付けられた背板５自体の形状を保持し得る保形領域５１と、下端の大部分から部分円形状、換言すれば下側程幅寸法が大きい形状をなし保形領域５１に接続する変形領域５２とを有している。保形領域５１は、例えば上部フレーム２２と同じ素材、つまり使用者による荷重や持ち運びの際には変形し難い硬質樹脂等の素材によってなるものである。そして保形領域５１の上端つまり背板５の上端５ｃは把手２３に対し把持領域Ｓを介在させて形成している。変形領域５２は、図４、図７に示すように例えば弾性素材やクッション性を有する素材など、着座者の荷重や持ち運びの際に適宜変形し得る素材により構成され、製造の際には例えば上部フレーム２２や保形領域５１とともに二色成形により成形されたものとしているが、勿論別体の素材を別途取付ける態様としても良い。
【００２６】
ここで、この変形領域５２は、少なくとも一部が前脚フレーム２の前端面２ａよりも前側、又は図４及び図７に示すように、後端面２ｂよりも後ろ側へ変形し得るようになっている。変形領域５２は上述の通り下方程幅寸法が大きい部分円形状をなすことにより、背板５の下端５ｄであり且つ中央５ｅの位置にある前面５ａ又は後面５ｂが、変形により最も大きく移動し得るようになっている。これにより、図４に示すように使用者が着座した状態では変形領域５２が背板５の下端において前脚フレーム２の後端面２ｂを超えて大きく変形するようになっている。これにより、着座者は椅子１に深く腰を掛けて前面から荷重を掛けても背板５の下端５ｄ側が変形領域５２の変形により上体に干渉せず、座４の面積を有効に活用しながら快適な座り心地に資する。
【００２７】
特に本実施形態では、図６及び図７に示すように、概略平板状をなす背板５は、その下端５ｄが前脚フレーム２における厚み範囲内の後端である後端面２ｂ近傍に位置付けられるとともに背板５の上端が前脚フレーム２における厚み範囲内の前端つまり前端面２ａ近傍に位置付けられるようにして、当該背板５の下端から上端を経てさらに上方へ向かう仮想の直線Ｖが把手前面２３ａよりも前方を通過するように背板５が位置付けられるようにしている。これにより、使用者は上記の通り椅子１に深く腰を掛けて前面から背板５に荷重を掛けてもその上体は仮想の直線Ｖよりも前側に位置付けられる。そのため把手前面２３ａが着座者の上体に干渉することがない。
【００２８】
更に本実施形態では図８に示すように、下端５ｄにおける幅方向略全域に変形領域５２を配しているので、同じ構成をなす複数の椅子１を持ち運ぶの際には複数の変形領域５２をまとめて掴みやすい。加えてこの際、複数の変形領域５２が同図のように適宜変形することにより、使用者は複数の椅子１を快適に且つ簡便に持ち運ぶことができる。
【００２９】
以上のような構成とすることにより、本実施形態に係る椅子１は、前脚フレーム２の厚みの範囲内に位置付けられた背板５が使用者の状態への荷重に応じて適宜変形し得るため、使用者に快適な座り心地を提供し得る。また勿論背板５は前脚フレーム２の厚みの範囲内に位置付けられているため、コンパクトな折り畳み状態（Ｑ）にも寄与している。すなわち、コンパクトな折り畳み状態（Ｑ）と座り心地の良い使用状態（Ｐ）とを両立し得る椅子１を実現している。
【００３０】
背板５を使用者の上体に沿ってより変形し易くするために本実施形態では、変形領域５２の少なくとも一部が前脚フレーム２の厚みよりも外側へ変形し得るようにしている。
【００３１】
背板５が着座者の上体を確実に支持しつつ且つ上体に沿って変形し好適な座り心地を担保することを簡素な構成で実現するために本実施形態では、保形領域５１を構成する素材と変形領域５２を構成する素材を異ならせている。
【００３２】
着座者の上体をより好適に支持するためには、保形領域５１を背板５の上側に位置付けるとともに変形領域５２を背板５の下側に位置付けて、背板５の下側を後方へ変形させることにより、使用者が椅子１に深く腰をかけ得る、すなわち座４の面積を有効に利用し得るものとなっている。そして変形領域５２がより使用者の上体に沿って変形し得る構成として本実施形態では、変形領域５２の幅寸法が、下側ほど大きくなるよう設定している。
【００３３】
使用者の座り心地を担保するとともに折り畳み状態（Ｑ）での取り扱いをより行い易くする構成として本実施形態では、平板状の背板５の上方に把手２３を設け、当該背板５の下端から上端を経てさらに上方へ向かう仮想の直線Ｖが把手２３の前面よりも前方を通過するように背板５が位置付けている。これにより、把手２３が使用状態（Ｐ）で着座した使用者の上体に干渉することを有効に回避し得る。
【００３４】
＜変形例＞
続いて本実施形態の変形例について図９〜図１１に示して説明する。本変形例において上記実施形態の構成要素に相当するものについては同じ符号を付すとともに、その詳細な説明を省略するものとする。
【００３５】
当該図９〜図１１に示される背板５は上記実施形態同様、上端５ｃの前面５ａは左右の前脚フレーム２の前端面２ａ近傍で直線状に架設される一方、下方に至るにつれ徐々に中央５ｅが大きく後方へ位置付けられるよう湾曲している形状をなす。そして背板５の下端５ｄの両側は前脚フレーム２の厚み方向略中央部分に接続し、当該下端５ｄにおける中央５ｅの後面５ｂでは湾曲度合が最も大きく側面視で前脚フレーム２の後端面２ｂ近傍に位置付けられている。
【００３６】
上記実施形態では背板５を例えば二色成形等により保形領域５１と変形領域５２とを異なる素材により構成していたが勿論、背板５を同じ素材により形成しても、保形領域５１並びに変形領域５２を好適に実現し得る。すなわち本変形例に係る椅子１は、背板５を一体に成形されたものとし、変形領域５２が変形を助長し得る変形助長部５３を有しているものである。以下、当該変形助長部５３について図９〜図１１に示して説明する。
【００３７】
図９に示す背板５は、変形助長部５３として、薄肉部及びスリット５５を採用した態様を示している。具体的には、背板５の両側近傍における下側のおよそ半分をそれぞれ切り欠くことによってスリット５５を一対形成するとともに、当該スリット５５間の素材の肉厚を薄肉な薄肉部とすることにより、保形領域５１と同じ素材であっても好適に変形し得るものとなっている。
【００３８】
図１０に示す背板５は、変形助長部５３として、開口５６を採用した態様を示している。このようなものであれば、変形領域５２に掛かる荷重は開口５６周辺の素材に集中して掛かることとなる。その結果、保形領域５１と同じ素材であっても好適に変形し得るものとなっている。
【００３９】
図１１に示す背板５は、変形助長部５３として、薄肉部並びにマチ５７を採用した態様を示している。具体的には、薄肉部の両端に例えば同じ肉厚で若干寸法後方に迂回させてマチ５７を形成することにより、薄肉部が撓み変形し易いように構成したものである。
【００４０】
これらのようなものであっても上記実施形態同様、コンパクトな折り畳み状態（Ｑ）と座り心地の良い使用状態（Ｐ）とを両立し得る椅子１を実現している。
【００４１】
以上、本発明の実施形態について説明したが、各部の具体的な構成は、上述した実施形態のみに限定されるものではなく、本発明の趣旨を逸脱しない範囲で種々変形が可能である。
【００４２】
例えば、上記実施形態では保形領域と変形領域とを面一に形成した態様を開示したが、勿論、保形領域とは異なる素材の変形領域に上記図９〜図１１に示すような変形助長部を設けたものであってもよい。また座や各部の軸着箇所等の具体的な態様は上記実施形態のものに限定されることはなく、既存のものを含め、種々の態様のものを適用することができる。
【００４３】
その他、各部の具体的構成についても上記実施形態に限られるものではなく、本発明の趣旨を逸脱しない範囲で種々変形が可能である。
【産業上の利用可能性】
【００４４】
本発明は会議室や集会場等で使用される折り畳み可能な椅子として利用することができる。
【符号の説明】
【００４５】
１…椅子
２…第一の脚フレーム（前脚フレーム）
２３ａ…把手の前面（把手前面）
３…第二の脚フレーム（後脚フレーム）
４…座
５…背板
５１…保形領域
５２…変形領域
５３…変形助長部
Ｐ…使用状態
Ｑ…折り畳み状態
Ｖ…仮想の直線
【図１】
0005915241.tif 000002
【図２】
0005915241.tif 000003
【図３】
0005915241.tif 000004
【図４】
0005915241.tif 000005
【図５】
0005915241.tif 000006
【図６】
0005915241.tif 000007
【図７】
0005915241.tif 000008
【図８】
0005915241.tif 000009
【図９】
0005915241.tif 000010
【図１０】
0005915241.tif 000011
【図１１】
0005915241.tif 000012